(57)【要約】      （修正有）【課題】床ずれを起こし難い介護用防水シーツを提供する。【解決手段】ポリウレタンよりなる防水性シート２の上下をポリエステルよりなる上、下シート３，４で挟み、その周囲６を超音波により裁断及び溶着してなる。【選択図】図１
0003113571.tif 000002
【実用新案登録請求の範囲】
【請求項１】
防水性を備えた合成繊維製のシートの周囲を超音波により裁断及び溶着してなることを特徴とする防水シーツ。
【請求項２】
合成繊維製のシートと合成繊維製の防水性シートとよりなり、その周囲を超音波により裁断及び溶着してなることを特徴とする防水シーツ。
【請求項３】
ポリウレタンよりなる防水性シートの上下をポリエステルよりなる上、下シートで挟み、その周囲を超音波により裁断及び溶着してなることを特徴とする防水シーツ。
【請求項４】
ベッド用シーツとして用いられる請求項１〜３のいずれかに記載の防水シーツ。
【考案の詳細な説明】
【技術分野】
【０００１】
この考案は、防水シーツに関するものである。
【背景技術】
【０００２】
例えば、介護用防水シーツとして、防水性を備えた合成繊維製のシートを用いたものがある。
【考案の開示】
【考案が解決しようとする課題】
【０００３】
しかし、従来のこの種防水シーツは、洗濯しても縫目がほつれないように通常は、周囲をバイアス縫い、あるいは、ロック縫いしてあることから、前記防水シーツの周りに縫目による段差が発生する。そのため、この段差部分により使用者は床ずれを起こし易い。
【０００４】
また、熱溶着方式のものもあるが、熱によって溶着部分が黒ずんで見栄が悪くなるととともに、固く硬化して床ずれを起こし易くなるという不都合がある。
【０００５】
この考案は、上述の事柄に留意してなされたもので、その目的は、床ずれを起こし難い防水シーツを提供することである。
【課題を解決するための手段】
【０００６】
上記目的を達成するために、この考案の防水シーツは、防水性を備えた合成繊維製のシートの周囲を超音波により裁断及び溶着してなることを特徴としている（請求項１）。
【０００７】
また、この考案の防水シーツは、合成繊維製のシートと合成繊維製の防水性シートとよりなり、その周囲を超音波により裁断及び溶着してなることを特徴としている（請求項２）。
【０００８】
さらに、この考案の防水シーツは、ポリウレタンよりなる防水性シートの上下をポリエステルよりなる上、下シートで挟み、その周囲を超音波により裁断及び溶着してなることを特徴としている（請求項３）。
【０００９】
この考案の防水シーツは、例えばベッド用シーツとして用いられる（請求項４）。
【考案の効果】
【００１０】
請求項１，２，３に記載された考案では、周囲を、超音波により裁断及び溶着（溶かして接着）するので、従来のバイアス縫いやロック縫いの縫製仕様、あるいは熱溶着仕様のように、シーツの周りで縫目による段差が発生したり硬化したりするような事態を解消できる。
また、超音波による溶着で、バイアス縫い、ロック縫いあるいは熱溶着されたものと同様、洗濯してもほつれ難くできる。
さらに、バイアス縫い、あるいは、ロック縫いでは、周縁は単に折り曲げただけの直線的な形状をしているのに対して、超音波による裁断及び溶着による場合は、波形や三角形等の所望の形状の連続した周縁に形成できるので、デザイン的にも優れており、見栄えがよい。
【００１１】
さらに、請求項３に記載された考案では、ポリエステルは、ナイロン、アクリルに比べて耐熱性に優れていることから、熱ロールによる乾燥が可能であり、ポリエステルは、伸度（ストレッチ性）に優れ、耐薬品性も大であることから、洗濯回数を多くしても物性を常時保持できうる耐久性を有し、洗濯に強いリネンサプライに好適な製品を提供することができる。
【考案を実施するための最良の形態】
【００１２】
以下、この考案の実施例を、図を参照しながら説明する。なお、それによってこの考案は限定されるものではない。
【００１３】
図１〜図３は、介護用に用いたこの考案の一実施例で三層構造の介護用防水シーツを示す。図１は図３のＸ−Ｘ線断面図、図２はベッド上に敷かれた防水シーツを示し、図３は図２におけるＡの部分を拡大したもので、周囲を超音波によって裁断及び溶着した防水シーツの平面図である。
【００１４】
図１〜図３において、介護用防水シーツ１は、ポリウレタンよりなる防水性シート２の上下をポリエステルよりなる上、下シート３，４で挟み、この三層構造の周縁部（周囲）６を超音波により裁断及び溶着してなるものである。この実施例では、ポリエステルよりなる上、下シート３，４を編物としており、丸編の生地で、見た目の温かみ、優しさをだしている。勿論、上、下シート３，４を織物として製品化してもよい。
また、前記上、下シート３，４を白色以外にも、うすいピンクやうすいブルーといったカラフルな色物にしてもよい。
【００１５】
前記防水シーツ１は、例えば平面視ほぼ矩形であり、たとえば横（左右）の長さが１４０ｃｍ、縦（上下）の長さが９０ｃｍのものを用いており、図２に示すように例えばマットまたは布団のシーツ５上に敷かれ、短辺側の左右縁を所定の幅でマットまたは布団側に折り込まれて使用される。なお、防水シーツ１の横（左右）の長さ、縦（上下）の長さは上記のものに限るものではなく、適宜変更されうる。      
【００１６】
防水シーツ１の前記周縁部（周囲）６は、円弧状に外側向きに湾曲した複数の波型形状部分７ａが連続して形成されてなる端縁７と、これより内側で各波型形状部分７ａに対応する位置に同心円的に形成された平面視で円弧状の凹所８と、この凹所８より内側で、凹所８の円弧のほぼ中心に位置する平面視で丸型の凹所９とよりなる。
【００１７】
そして、前記端縁７は、超音波により裁断されている。また、前記各凹所８は、防水シーツ１の表面１ａと裏面１ｂに、超音波による溶着部分１０を介して形成される上下一対の凹所部分１１，１２よりなる。また、前記各凹所９は、防水シーツ１の表面１ａと裏面１ｂに、超音波による溶着部分１３を介して形成される上下一対の凹所部分１４，１５よりなる。
【００１８】
なお、前記端縁７を円弧状以外の形状、例えば複数のＶ型形状部分７ａが連続して形成されてなるものに形成してもよく、凹所８を円弧状以外の形状、また、凹所９も丸型以外の形状に形成してもよい。要は、デザイン的に優れた形状であれば、周縁部６はこの実施例の形状のものに限られるものではなく、端縁７、凹所８，９は任意の形状に形成できる。
【００１９】
また、この考案で用いる超音波裁断及び溶着装置は、公知のものを使用している。この装置は、例えばレースカーテン下端の裾部分をウェーブ状に形成するため等に使用されている。したがって、この考案では、公知の超音波裁断及び溶着装置を利用するだけで、別途周縁部６を波型形状や円弧状等のデザイン的に優れた形状に形成するための型を用意する必要はなく、コスト安で、デザイン性に優れた、かつ、周囲に縫目による段差の発生し難い防水シーツ１を提供できるのである。
なお、ポリウレタンよりなる防水性シート２、ポリエステルよりなる上、下シート３，４の厚みは適宜設定される。
【００２０】
図４は、介護用防水シーツとして、抗菌性、消臭性に優れたアクリル系合成繊維を備えたこの考案の他の実施例を示す。なお、図４において、図１〜図３に示す符号と同一のものは、同一または相当物である。
図４において、介護用防水シーツ１’は、表面１ａ’から裏面１ｂ’に向かって順に、ポリエステルとそれ自体に消臭機能を備えた綿との混紡織物よりなるシート１６、抗菌性、消臭性に優れたアクリル系合成繊維よりなるシート１７およびポリウレタンよりなる防水性シート２との三層構造を有している。そして、この三層構造の周縁部（周囲）６を超音波により裁断及び溶着して介護用防水シーツ１’が作成される。
【００２１】
なお、上記各実施例では三層構造のものを示したが、防水性を備えた合成繊維製のシートよりなる一層構造のものでもよい。この場合でも、前記防水性を備えた合成繊維製のシートの周囲を超音波により裁断及び溶着することにより防水シーツが作成される。
また、この考案は、合成繊維製のシートと合成繊維製の防水性シートの二層構造のものにも適用できる。さらに、この考案は、周囲を超音波により裁断及び溶着してなる四層構造以上に構成される防水シーツにも適用できる。
【図面の簡単な説明】
【００２２】
【図１】この考案の一実施例を示す構成説明図である。
【図２】上記実施例における使用状態を示す斜視図である。
【図３】上記実施例における周縁部（周囲）の一部を示す図である。
【図４】この考案の他の実施例を示す構成説明図である。
【符号の説明】
【００２３】
１      介護用防水シーツ
２      ポリウレタンよりなる防水性シート
３，４  ポリエステルよりなる上、下シート
６      周囲
【図１】
0003113571.tif 000003
【図２】
0003113571.tif 000004
【図３】
0003113571.tif 000005
【図４】
0003113571.tif 000006
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
防水性を備えた合成繊維製のシートの周縁部が、超音波により裁断された端縁と、これより内側に設けられ、超音波により溶着された溶着部分とを備えていることを特徴とする防水シーツ。
【請求項２】
合成繊維製のシートと合成繊維製の防水性シートの複数層構造よりなり、周縁部が、超音波により裁断された端縁と、これより内側に設けられ、超音波により溶着された溶着部分とを備えていることを特徴とする防水シーツ。
【請求項３】
ポリウレタンよりなる防水性シートの上下をポリエステルよりなる上、下シートで挟んでなり、周縁部が、超音波により裁断された端縁と、これより内側に設けられ、超音波により溶着された溶着部分とを備えていることを特徴とする防水シーツ。
【請求項４】
ベッド用シーツである請求項１〜３のいずれかに記載の防水シーツ。
【手続補正２】
【補正対象書類名】明細書
【補正対象項目名】全文
【補正方法】変更
【補正の内容】
【考案の詳細な説明】
【技術分野】
【０００１】
この考案は、防水シーツに関するものである。
【背景技術】
【０００２】
例えば、介護用防水シーツとして、防水性を備えた合成繊維製のシートを用いたものがある。
【考案の開示】
【考案が解決しようとする課題】
【０００３】
しかし、従来のこの種防水シーツは、洗濯しても縫目がほつれないように通常は、周囲をバイアス縫い、あるいは、ロック縫いしてあることから、前記防水シーツの周りに縫目による段差が発生する。そのため、この段差部分により使用者は床ずれを起こし易い。
【０００４】
また、熱溶着方式のものもあるが、熱によって溶着部分が黒ずんで見栄が悪くなるととともに、固く硬化して床ずれを起こし易くなるという不都合がある。
【０００５】
この考案は、上述の事柄に留意してなされたもので、その目的は、床ずれを起こし難い防水シーツを提供することである。
【課題を解決するための手段】
【０００６】
上記目的を達成するために、この考案の防水シーツは、防水性を備えた合成繊維製のシートの周縁部が、超音波により裁断された端縁と、これより内側に設けられ、超音波により溶着された溶着部分とを備えていることを特徴としている（請求項１）。
【０００７】
また、この考案の防水シーツは、合成繊維製のシートと合成繊維製の防水性シートの複数層構造よりなり、周縁部が、超音波により裁断された端縁と、これより内側に設けられ、超音波により溶着された溶着部分とを備えていることを特徴としている（請求項２）。  
【０００８】
さらに、この考案の防水シーツは、ポリウレタンよりなる防水性シートの上下をポリエステルよりなる上、下シートで挟んでなり、周縁部が、超音波により裁断された端縁と、これより内側に設けられ、超音波により溶着された溶着部分とを備えていることを特徴としている（請求項３）。
【０００９】
この考案の防水シーツは、例えばベッド用シーツである（請求項４）。
【考案の効果】
【００１０】
請求項１，２，３に記載された考案では、周縁部が、超音波により裁断された端縁と、これより内側に設けられ、超音波により溶着（溶かして接着）された溶着部分とを備えているので、従来のバイアス縫いやロック縫いの縫製仕様、あるいは熱溶着仕様のように、シーツの周りで縫目による段差が発生したり硬化したりするような事態を解消できる。
また、超音波による溶着で、バイアス縫い、ロック縫いあるいは熱溶着されたものと同様、洗濯してもほつれ難くできる。
さらに、バイアス縫い、あるいは、ロック縫いでは、周縁は単に折り曲げただけの直線的な形状をしているのに対して、超音波による裁断及び溶着による場合は、波形や三角形等の所望の形状の連続した周縁に形成できるので、デザイン的にも優れており、見栄えがよい。
【００１１】
さらに、請求項３に記載された考案では、ポリエステルは、ナイロン、アクリルに比べて耐熱性に優れていることから、熱ロールによる乾燥が可能であり、ポリエステルは、伸度（ストレッチ性）に優れ、耐薬品性も大であることから、洗濯回数を多くしても物性を常時保持できうる耐久性を有し、洗濯に強いリネンサプライに好適な製品を提供することができる。
【考案を実施するための最良の形態】
【００１２】
以下、この考案の実施例を、図を参照しながら説明する。なお、それによってこの考案は限定されるものではない。
【００１３】
図１〜図３は、介護用に用いたこの考案の一実施例で三層構造の介護用防水シーツを示す。図１は図３のＸ−Ｘ線断面図、図２はベッド上に敷かれた防水シーツを示し、図３は図２におけるＡの部分を拡大したもので、周縁部を超音波によって裁断及び溶着した防水シーツの平面図である。
【００１４】
図１〜図３において、介護用防水シーツ１は、ポリウレタンよりなる防水性シート２の上下をポリエステルよりなる上、下シート３，４で挟み、この三層構造の周縁部６を超音波により裁断及び溶着してなるものである。この実施例では、ポリエステルよりなる上、下シート３，４を編物としており、丸編の生地で、見た目の温かみ、優しさをだしている。勿論、上、下シート３，４を織物として製品化してもよい。
また、前記上、下シート３，４を白色以外にも、うすいピンクやうすいブルーといったカラフルな色物にしてもよい。
【００１５】
前記防水シーツ１は、例えば平面視ほぼ矩形であり、たとえば横（左右）の長さが１４０ｃｍ、縦（上下）の長さが９０ｃｍのものを用いており、図２に示すように例えばマットまたは布団のシーツ５上に敷かれ、短辺側の左右縁を所定の幅でマットまたは布団側に折り込まれて使用される。なお、防水シーツ１の横（左右）の長さ、縦（上下）の長さは上記のものに限るものではなく、適宜変更されうる。      
【００１６】
防水シーツ１の前記周縁部６は、円弧状に外側向きに湾曲した複数の波型形状部分７ａが連続して形成されてなる端縁７と、これより内側で各波型形状部分７ａに対応する位置に同心円的に形成された平面視で円弧状の凹所８と、この凹所８より内側で、凹所８の円弧のほぼ中心に位置する平面視で丸型の凹所９とよりなる。
【００１７】
そして、前記端縁７は、超音波により裁断されている。また、前記各凹所８は、防水シーツ１の表面１ａと裏面１ｂに、超音波による溶着部分１０を介して形成される上下一対の凹所部分１１，１２よりなる。また、前記各凹所９は、防水シーツ１の表面１ａと裏面１ｂに、超音波による溶着部分１３を介して形成される上下一対の凹所部分１４，１５よりなる。
【００１８】
なお、前記端縁７を円弧状以外の形状、例えば複数のＶ型形状部分７ａが連続して形成されてなるものに形成してもよく、凹所８を円弧状以外の形状、また、凹所９も丸型以外の形状に形成してもよい。要は、デザイン的に優れた形状であれば、周縁部６はこの実施例の形状のものに限られるものではなく、端縁７、凹所８，９は任意の形状に形成できる。
【００１９】
また、この考案で用いる超音波裁断及び溶着装置は、公知のものを使用している。この装置は、例えばレースカーテン下端の裾部分をウェーブ状に形成するため等に使用されている。したがって、この考案では、公知の超音波裁断及び溶着装置を利用するだけで、別途周縁部６を波型形状や円弧状等のデザイン的に優れた形状に形成するための型を用意する必要はなく、コスト安で、デザイン性に優れた、かつ、周縁部に縫目による段差の発生し難い防水シーツ１を提供できるのである。
なお、ポリウレタンよりなる防水性シート２、ポリエステルよりなる上、下シート３，４の厚みは適宜設定される。
【００２０】
図４は、介護用防水シーツとして、抗菌性、消臭性に優れたアクリル系合成繊維を備えたこの考案の他の実施例を示す。なお、図４において、図１〜図３に示す符号と同一のものは、同一または相当物である。
図４において、介護用防水シーツ１’は、表面１ａ’から裏面１ｂ’に向かって順に、ポリエステルとそれ自体に消臭機能を備えた綿との混紡織物よりなるシート１６、抗菌性、消臭性に優れたアクリル系合成繊維よりなるシート１７およびポリウレタンよりなる防水性シート２との三層構造を有している。そして、この三層構造の周縁部６を超音波により裁断及び溶着して介護用防水シーツ１’が作成される。
【００２１】
なお、上記各実施例では三層構造のものを示したが、防水性を備えた合成繊維製のシートよりなる一層構造のものでもよい。この場合でも、前記防水性を備えた合成繊維製のシートの周縁部を超音波により裁断及び溶着することにより防水シーツが作成される。
また、この考案は、合成繊維製のシートと合成繊維製の防水性シートの二層構造のものにも適用できる。さらに、この考案は、周縁部を超音波により裁断及び溶着してなる四層構造以上に構成される防水シーツにも適用できる。
【図面の簡単な説明】
【００２２】
【図１】この考案の一実施例を示す構成説明図である。
【図２】上記実施例における使用状態を示す斜視図である。
【図３】上記実施例における周縁部の一部を示す図である。
【図４】この考案の他の実施例を示す構成説明図である。
【符号の説明】
【００２３】
１      介護用防水シーツ
２      ポリウレタンよりなる防水性シート
３，４  ポリエステルよりなる上、下シート
６      周縁部
【手続補正３】
【補正対象書類名】図面
【補正対象項目名】図１
【補正方法】変更
【補正の内容】
【図１】
0003113571.tif 000007